【事件の表示】
　平成　９年特許願第　８１０２３号「インクジェット記録装置」拒絶査定不服審判事件〔平成１０年１０月１３日出願公開、特開平１０−２７２７８５〕について、次のとおり審決する。
【結　論】
　本件審判の請求は、成り立たない。
【理　由】
第１　手続の経緯
　本願は、平成９年３月３１日の出願であって、平成１６年１月２９日付で拒絶査定がなされ、同年３月１日付で拒絶査定に対する審判請求がなされた。
　これに対し、当審にて平成１８年１１月１４日付で拒絶理由（以下、「当審拒絶理由」という。）を通知し、これに対し平成１９年１月１９日付で手続補正（以下、「本件補正」という。）がなされたものである。
　
第２　本願発明の認定
　
　本件補正により、特許請求の範囲の請求項１（以下、「本願発明」という。）は以下のように補正された。
　
「【請求項１】装置ケーシング内で記録媒体に沿って移動するキャリッジと、該キャリッジに搭載され、前記記録媒体にインクを噴射して記録を行なう記録ヘッドと、前記キャリッジに対して
着脱可能に
複数個の
　前記キャリッジが、前記装置ケーシングの開口部に対応する前記カートリッジの交換位置と、前記カバー部に覆われ前記吸引手段と対向するパージ位置と、前記交換位置と異なる待機位置とに移動可能であるインクジェット記録装置において、
　指示手段と、
　前記キャリッジの位置を判断する位置判断手段と、
　前記カートリッジの装着状態を検知するセンサと、
　前記指示手段による指示がなされた場合に、前記位置判断手段によって前記キャリッジが前記待機位置にあると判断されたときには、前記キャリッジを前記カートリッジの交換位置に移動させる第１の制御手段と、
　前記指示手段による指示がなされた場合に、前記位置判断手段によって前記キャリッジが前記待機位置にないと判断され、且つ、前記センサによって前記カートリッジが装着されていないと判断されたときには、前記キャリッジを前記吸引手段と対向するパージ位置に移動させて、前記吸引手段による前記記録ヘッドの吸引動作を実行し、その後前記キャリッジを前記カートリッジの交換位置に移動させる第２の制御手段と、
　前記指示手段による指示がなされた場合に、前記位置判断手段によって前記キャリッジが前記待機位置にないと判断され、且つ、前記センサによって前記カートリッジが装着されていると判断されたときには、前記キャリッジを前記吸引手段と対向するパージ位置に移動させて、前記吸引手段による前記記録ヘッドの吸引動作を実行する第３の制御手段と、
　を備えたことを特徴とするインクジェット記録装置。」
　
第３　当審の拒絶理由の内容
　
「１）本件出願は、明細書及び図面の記載が下記の点で不備のため、特許法第３６条第４項及び第６項に規定する要件を満たしていない。 
 ２）本件出願の下記の請求項に係る発明は、その出願前日本国内または外国において頒布された下記の刊行物に記載された発明に基づいて、その出願前にその発明の属する技術の分野における通常の知識を有する者が容易に発明をすることができたものであるから、特許法第２９条第２項の規定により特許を受けることができない。 
 　 
 　　　　　　　　　　　　　　　　　記 
 −理由１− 
 　この出願の請求項１，２において、第１の制御手段、第２の制御手段、第３の制御手段について、キャリッジの移動及び記録ヘッドの吸引動作の制御について特定されている。 
 　これらの第１〜第３の制御手段の動作について、段落【００３３】〜【００４９】及び図面第６図にて説明されている。 
 　明細書及び図面第６図の記載を参酌すれば、第１〜第３の制御手段により、指示手段による指示、カートリッジの取り外し、指示手段による指示、記録ヘッドの吸引、カートリッジの装着、指示手段による指示、記録ヘッドの吸引というように、３回の指示手段の指示より各動作を順次行う制御をしていることから、指示手段による２，３回目の指示は使用者のカートリッジの脱着の後に行われていることが理解される。 
 　しかし、これは通常、第１の制御手段で最初の指示手段による指示で交換指示を行われた後のことであり、そこでカートリッジの脱着がなされるにせよ、第２、第３の制御手段で特定されるがごとくあらためて指示手段で指示を待つことの技術的意義が不明である。 
 　普通に考えた場合、カートリッジの脱着後パージ位置に移動することを予定して、かつカートリッジの装着状態を検知するセンサが備えられているのだから、その検知結果に基づいてパージ位置に移動させることが可能である。 
 　すると、指示手段の２，３回目の指示によらずカートリッジの脱着を検知して次の制御に進む判断基準にすれば足りることから、この指示手段の２，３回目の指示は使用者によるカートリッジの脱着の確認程度の意味合いしか持たないこととなる。 
 　しかし、カートリッジの装着状態を検知するセンサを備えているにもかかわらず、わざわざカートリッジの脱着をユーザに確認させることを必要とする理由も見いだせない。 
 　よって、明細書又は図面の記載を参酌しても、請求項１に係る発明において前記第１〜第３の制御手段を備えたことによる技術的意義を理解することができない。 
 　 
 　してみれば、請求項１及びこれを引用する請求項２の記載はその技術的意義が不明であることから、不明瞭である。 
 　 
 −理由２− 
 　 
 Ａ．特開平５−９２５８１号公報（公報段落【００１２】，【００１４】参照。） 
 Ｂ．特開平９−１１４９２号公報（公報段落【００１９】〜【００２２】参照。） 
 Ｃ．特開平６−１５８３２号公報 
 Ｄ．特開平７−６８７９５号公報 
 　 
 ・請求項１，２ 
 ・引用例Ａ〜Ｄ 
 ・備考 
 　インクカートリッジの交換にあたり、記録ヘッドに残留したインクを吸引手段により吸引することは引用例Ａ，Ｂに記載されている。 
 　また、待機位置とカートリッジ交換位置を別の位置とする技術が引用例Ｃに、待機位置とパージ位置とを別の位置とする技術が引用例Ｄにそれぞれ記載されており、待機位置、カートリッジ交換位置、パージ位置とをそれぞれ別の位置として設定することは当業者が適宜なすべき事項である。 
 　さらに、請求項１，２に係る発明においては、第１、第２、第３の制御手段についてキャリッジの移動、記録ヘッドの吸引動作についての制御が特定されているが、どの制御を行うかを決定できれば、そのための判断基準（カートリッジの有無、キャリッジの位置等）は種々考えられるところ、請求項１，２でははそのうちの一つをあげたに過ぎない。 
 　そしてこの制御手法には、理由１で述べたごとく、第２，３回目の指示手段の指示が使用者のカートリッジの着脱確認としての意味合いは認められるが、そのようなことを適宜行うことは容易であり、前記のごとく待機位置、カートリッジ交換位置、パージ位置とをそれぞれ別の位置として設定した上で、どのような制御とするかは当業者が適宜定めるべき設計事項の範疇である。 」
　
第４　本願の明細書及び図面の記載についての当審の判断
　
　そこで、本願の明細書及び図面の記載が特許法第３６条第４項及び第６項第２号に規定する要件を満たしているかについて検討する。
　
　当審拒絶理由の理由１における、請求項１，２で第１の制御手段、第２の制御手段、第３の制御手段についてキャリッジの移動及び記録ヘッドの吸引動作の制御について特定されるところ、カートリッジの装着状態を検知するセンサを有するにもかかわらず第２、第３の制御手段であらためて指示手段による指示を待つことの技術的意義が不明であるとの指摘した。
　これに対し、本件補正と同日付け提出の意見書中で以下のような主張をしている。
　
「キャリッジにカートリッジを着脱可能に搭載したインクジェット記録装置では、カラー記録に対応した複数個のカートリッジをキャリッジに搭載しているのが一般的です。このため、使用者が複数個のカートリッジのうち何個のカートリッジを交換するかは、記録装置側で判断できず、取り外し終了などを、使用者が記録装置側へ指示してやらなければなりません。
　つまり、第１の制御手段によってカートリッジの交換位置に出てきたキャリッジから、使用者が複数のカートリッジのうち何個のカートリッジを取り外すのかは不明のため、取り外し後、次の動作に移ることを使用者が記録装置側へ指示する必要があります。
　このため「カートリッジの装着状態を検知するセンサ」が備えられているとしても、指示手段の指示によらずして次の制御に進むことは困難であります。」
　
　これに付随して、本件補正により請求項１のインクカートリッジがキャリッジに対し「着脱可能に」とした上でインクカートリッジが「複数個」との限定を付する特定をしている。
　
　この点につき以下、検討する。
　本件の明細書及び図面の記載を参酌するに、明細書段落【００３２】には「各噴射ノズル２１に、各色のインクを供給する４つのカートリッジ２２ｙ，２２ｍ，２２ｃ，２２ｂ（２２と総称する）が着脱可能に搭載されている。」との記載から、各色に応じた４つのカートリッジが独立に着脱可能であることは理解でき、これらの交換に際し複数のカートリッジのうち何個かのカートリッジを取り外すこともあり得るといえる。
　しかしながら、前記主張の「使用者が複数個のカートリッジのうち何個のカートリッジを交換するかは、記録装置側で判断できず」との点は首肯し難い。
　まず、本件の明細書段落【００３５】によれば、吸引手段２６として記録ヘッドのノズル面に対し密着・離隔可能な吸引キャップ３３が設けられており、吸引キャップを介して吸引ポンプ３４を駆動して吸引動作を行われることが記載されている。ここで、図面第２図を参照すると、一つの吸引キャップ３３、そしてその横に四つ並んだ矩形状部からそれぞれ引き出し線が保存キャップ２７の説明として描かれていることが看取される。
　ここで保存キャップ２７が四つ並んでいるので、これらはそれぞれ各色の４つのカートリッジに対応して設けられていることは自明である。また、保存キャップ２７の矩形状部の一つの大きさと吸引キャップ３３の大きさが略等しいことから、吸引キャップ３３は４つの色毎に用意されているのではなく、一つの吸引キャップで各色毎に独立して吸引が行われると解釈することが自然である。
　そこで、本件のインクジェット記録装置の吸引動作につき検討すると、本件の明細書段落【００４７】，【００４８】には「次に、再度パージボタン５１が操作された場合に（Ｓ１：Ｙｅｓ）、キャリッッジ検出器５２からの信号に基づいてカートリッジ２２が装着されているかどうかを判定する（Ｓ４）。そして、カートリッジ２２が装着されていないときには（Ｓ４：Ｎｏ）、当該カートリッジ２２に対応する噴射ノズル２１のノズル面２３を吸引キャップ３３に対向する位置（パージ位置）に移動させる（Ｓ５）。」との記載がある。ここでいうパージボタン５１は本願発明で特定される指示手段のことであり、該記載と前記のごとく吸引キャップ３３が各色毎に独立して吸引が行われることを考慮するならば、本件のインクジェット記録装置は明らかに何らかの形で装着されていない（即ち交換された）カートリッジを認識し、そのカートリッジに対応した噴射ノズルを吸引キャップ３３に対向する位置に移動させているといえる。
　また、仮にインクジェット記録装置がどのカートリッジを交換したか認識できないとすれば、吸引動作に際し４つのカートリッジすべてについて無差別に行う必要があり、その場合、交換を行っていないカートリッジについてまで必要ない空パージを行うこととなり、極めて不経済であって不自然な前提といえる。
　さらに、そもそも無差別にすべてのカートリッジを空パージするならば、何個のカートリッジを交換するかという点と、どのカートリッジが交換されたか指示することは無関係なこととなる。
　すると、前記のごとく「使用者が複数個のカートリッジのうち何個のカートリッジを交換するかは、記録装置側で判断できず」との主張は、本件の明細書又は図面に基づかないものであり失当である。
　したがって、本件補正で補正された請求項１のインクカートリッジについて「着脱可能に」，「複数個」との限定事項を付したとしても、当審拒絶理由の理由１を解消するものではなく、本願の明細書及び図面の記載は特許法第３６条第４項及び第６項第２号に規定する要件を満たしていない。
　
第５　本願発明の進歩性についての当審の判断
　
１．引用例
　
（１）当審拒絶理由に引用された、特開平５−９２５８１号公報（以下、「引用例１」という。）には、次の事項が記載又は図示されている。
　
（ア）「交換可能なインクカートリッジに収納されたインクを吐出して、被記録媒体上に文字および画像を形成するインクジェット記録装置において、
前記インクカートリッジが装着されているかどうかを検出する装着検出手段と、
記録ヘッドに密着し、エアー吸引して記録ヘッド内のインクを吸出する吸引手段と、
インク残量センサにより前記インクカートリッジが交換を要することを伝達されると、前記インクカートリッジの抜去および新しいインクカートリッジの装着を装着検出手段により検出し、抜去および装着を検出した際、それぞれ吸引手段を前記記録ヘッドに密着させ、吸引手段によりエアー吸引を行って前記記録ヘッドの吐出機能回復を行う制御手段とを有することを特徴とするインクジェット記録装置。」（特許請求の範囲【請求項１】）
　
（イ）「従来のインクジェット記録装置には、ほとんどこの気泡の除去手段が設けられており、一般的なものとしては、記録ヘッド前面にキャップを密接させ、ポンプによりキャップ内に負圧を生じさせて記録ヘッド内のインクと気泡を吸い出す方法が知られている。
【発明が解決しようとしている課題】しかしながら、上記従来例では、図５（ａ）に示すような記録ヘッド内の澱みにある気泡１６、特に、小さな気泡を除去することは困難である。また、図５（ｂ）に示すような大きな気泡の場合、その一部が図５（ｃ）に示すようにちぎれて排出されるが、大部分は残留し、数枚の印字中に再び成長して、ノズル内に入り込むという問題がある。」（段落【０００２】，【０００３】）
　
（ウ）「記録ヘッド１はプリント信号に基づいてインクを記録紙上に吐出口より吐出させて記録を行う」（段落【０００９】）
　
（エ）「ＣＰＵ１０は・・・ステップＳ３でインクカートリッジ２がないと判断された場合は、印字を中止し（ステップＳ４）、インクカートリッジ２なしの表示をディスプレイに行う（ステップＳ５）。
　ステップＳ２でインクがないと判断された場合は、印字を中止し（ステップＳ６）、インクなし表示を行い（ステップＳ７）、記録ヘッド１をホームポジションに移動し（ステップＳ８）、インクカートリッジ２が挿入されているかどうか判断する（ステップＳ９）。インクカートリッジ２が挿入されていると、引抜かれるまで待ち引抜かれると、カートリッジセンサ３よりＣＰＵ１０に信号が入り、それを受けてＣＰＵ１０はモータ６を駆動し、吸引動作を行なう（ステップＳ１０）。この際の吸引量は、記録ヘッド内の容積（約０．０１〜０．０５ｃｃ）を上回る量のエアーを取込む程度であれば良い。もちろん、供給チューブ８内のインクを全て吸引しても良い。例えば、１回の吸引動作による吸引量が０．１ｃｃだとすると、吸引回数（ｎ回）は１回以上であれば良い。
　次に吸引動作を予め定められたｎ回行ったかどうか判断し（ステップＳ１１）、ｎ回に達していなければステップＳ１０に戻り、ｎ回に達していれば吸引動作を停止し、インクカートリッジ２が挿入されたか判断する（ステップＳ１２）。インクカートリッジ２が挿入されていなければ、インクカートリッジ２が挿入されるまで待ち、新しいインクカートリッジが挿入されると、カートリッジセンサ３よりＣＰＵ１０に信号が入り再び吸引動作を行う（ステップＳ１３）。この際の吸引量は供給チューブおよび記録ヘッド内に完全にインクが満たされることが必要であり、例えばＢ４プリンタでチューブの内径１．５ｍｍ長さ６０〜８０cmとすると、約１〜１．５ｃｃ必要である。１回の吸引量を０．１ｃｃとすると、吸引回数（ｍ回）は１０〜１５回となる。吸引動作を予め定められたｍ回行ったかどうか判断し（ステップＳ１４）、ｍ回に達していなければステップＳ１３に戻り、ｍ回に達していれば、準備完了（Ｒｅａｄｙ）の表示を行い（ステップＳ１５）、指示に従って印字を再開する（ステップＳ１６）。」（公報段落【００１１】〜【００１３】）
　
（オ）「インクカートリッジ交換時にこのフローチャートに沿った動作が行われると、必ず記録ヘッド内のインクがいったん空になり、その後完全に気泡のないインク充填が達成される。インクカートリッジの交換頻度は、例えばカートリッジの内容量を３０ｇとすると、Ａ３サイズの１００％ｄｕｔｙ印字で２０〜２５枚程度であり、気泡が問題となる大きさに成長する以前にこれを取り除くことができる。」（公報段落【００１４】）
　
（カ）「記録装置の記録モードとしては黒色等の主流色のみの記録モードだけではなく、記録ヘッドを一体的に構成するか複数個の組み合わせによってでもよいが、異なる色の複色カラー又は、混色によるフルカラーの少なくとも一つを備えた装置にも本発明は極めて有効である。」（段落【００２３】）
　
　よって、引用例１の記載（ア）〜（カ）を含む引用例１の全記載及び図示からみて、引用例１には以下の発明が記載されているものと認める（以下、「引用発明１」という。）。
　
「交換可能なインクカートリッジに収納されたインクを記録ヘッドから吐出して、被記録媒体上に文字および画像を形成するインクジェット記録装置において、
前記インクカートリッジが装着されているかどうかを検出する装着検出手段と、
記録ヘッドに密着し、エアー吸引して記録ヘッド内のインクを吸出する吸引手段と、
インク残量センサによりインクがないと判断された場合は、印字を中止し、インクなし表示を行い、記録ヘッドをホームポジションに移動し、インクカートリッジが挿入されているか判断し、挿入されていれば引き抜かれるまで待ち、引き抜かれると装着検出手段よりＣＰＵに信号が入り、それを受けて吸引動作を行い、吸引動作を停止したあとインクカートリッジが挿入されると、装着検出手段よりＣＰＵに信号が入り吸引動作を行い、準備完了の表示を行うＣＰＵを備え、混色によるフルカラーの記録モードを備えたインクジェット記録装置。」
　
（２）当審拒絶理由に引用された、特開平９−１１４９２号公報（以下、「引用例２」という。）には、次の事項が記載又は図示されている。
　
（ア）「インクを吐出する吐出手段を有する記録ヘッド部と、
該記録ヘッド部に着脱自在に接続され、当該記録ヘッド部にインクを供給するインクタンク部と、
前記記録ヘッド部に対する前記インクタンク部の着脱を検知するタンク着脱検知手段と、
該タンク着脱検知手段からの前記インクタンク部引外し検知信号により前記記録ヘッド部から残留インクの排出を行うように制御する制御手段とを具備することを特徴とするインクジェット記録装置。」（特許請求の範囲【請求項１】）
　
（イ）「記録ヘッド部１およびインクタンク部２はシリアル型のインクジェット記録装置の場合、共に後述されるようにしてキャリッジに搭載され、キャリッジの走査中にその移動のタイミングに合わせてインクを吐出し記録を行うが、ここで、２０はキャリッジに設けられ、図１，２に示すように記録ヘッド部１へのインクタンク部２の着脱を検知するタンク着脱検知手段である。」（段落【００１４】）
　
（ウ）「本例ではキャリッジ４１が記録領域外のホームポジション（ＨＰ）に導かれてきた時点で、ＨＰセンサ４８によりその移動が検知され、キャリッジ４１の走査がいつ且停止されると共に回復動作時およびインクタンク部２の交換時には回復手段３０のキャップ部材３１が図２に示したようにして記録ヘッド部１のインク吐出口面に密接する。」（段落【００１６】）
　
（エ）「キャリッジ４１をホームポジションＨＰに移動させて、ここでキャリッジ４１上に搭載された記録ヘッド部１からインクタンク部２を引き外すにあたり、先づ、キャップ部材３１を記録ヘッド部１のインク吐出面に封着させるようにする。そして、かかる状態の元でインクタンク部２を引外すと、タンク着脱検知手段２０からインクタンク部２が引外されたことを検知する“オフ”信号が信号センサ２２Ａ，２２Ｂを介して制御部５０に送出される。よって、制御部５０ではタンク着脱検知手段２０からのタンク引外し信号に応じて回復手段３０の回復用ポンプ３３を駆動し、記録ヘッド部１内に残留しているインクの吸引排出を自動的に行わせることができる。」（段落【００１９】）
　
（オ）「インクの排出および新たなインクの補給はこれまででもインク交換時に混入される気泡除去のために必要とされたものであり、本例のために格別にインクが消費されるものではない。」（段落【００２１】）
　
（カ）「本実施例ではキャッピング状態でインクタンク部２を記録ヘッド部１から引外すようにしたが、記録ヘッド部１からインクタンク部２が引外されたことの検知により制御部５０がキャリッジ４１を回復手段３０の位置に導き、そのキャッピングにより記録ヘッド部１から残留インクを吸引するようにしてもよい。」（段落【００２２】）
　
（３）当審拒絶理由に引用された、特開平６−１５８３２号公報（以下、「引用例３」という。）には、次の事項が記載又は図示されている。
　
（ア）「キャリッジに搭載された記録手段から被記録材へインクを吐出して記録を行なうインクジェット記録装置において、キャリッジに搭載されたインクタンクと、記録手段の吐出口を覆うためのキャッピング機構と、記録手段の吐出不良を解消するための回復手段とを備え、キャリッジは、記録手段の吐出口をキャッピングするための待機位置と、インクタンクを交換するためのタンク交換位置とを有することを特徴とするインクジェット記録装置。」（特許請求の範囲【請求項１】）
　
（イ）「インクタンクを交換した後、キャリッジが待機位置に移動しキャッピングすると回復手段によりインク吸引動作を行ない、さらに、記録手段のクリーニング動作を行なうことを特徴とする請求項１のインクジェット記録装置。」（特許請求の範囲【請求項５】）
　
　引用例１の図面第５，６図を参照すると、インクジェット記録装置の中央にインクタンク交換口１８が設けられ、インクの吸引動作も行う待機位置を含めその他の部分は外装１５により覆われていることが看取される。
　
（４）当審拒絶理由に引用された、特開平７−６８７９５号公報（以下、「引用例４」という。）には、次の事項が記載又は図示されている。
　
（ア）「キャリジ２上にブラック（Ｂ）、シアン（Ｃ）、マゼンタ（Ｍ）、イエロー（Ｙ）の４個の記録ヘッド（ヘッドカートリッジ）１Ａ〜１Ｄが搭載されたカラーインクジェット記録装置の場合を示す。また、本実施例では、１つの吸引用キャップ４１と１つの吸引ポンプ１６から成る吸引回復手段により、複数の記録ヘッド１の吸引を選択的に行なうように構成されている。そのため、吸引用キャップ４１とは別に、記録ヘッド１と同数の保護用（放置保存用）キャップ４２が設けられている。」（段落【００４９】）
　
（イ）「記録ヘッド１を使用せずに放置する場合には、図９に示すように、キャリジ２の移動により各記録ヘッド１を対応する保護用キャップ４２と対向させ、さらに各記録ヘッド１と各保護用キャップ４２（吸引用キャップ４１の併用も含め）とを密着させることにより、それぞれの記録ヘッド１をキャッピング（吐出口８２の密封）し、吐出口８２内のインクの増粘、固着および該吐出口８２内へのゴミの侵入などを防止する。」（段落【００５２】）
　
２．対比
　
　そこで、本願発明と引用発明１とを対比する。
　
　引用発明１の「記録ヘッド」は、キャリッジに搭載されるものであるかは明らかでないが、記録媒体にインクを噴射して記録を行う限度で本願発明の「記録ヘッド」と同様である。
　引用発明１の「インクカートリッジ」は交換可能であるから、それがキャリッジに対してであるかは明らかでないものの着脱可能であることは当然である。また、引用発明１の「インクカートリッジ」が複数であることも特定はされていないが、記録ヘッドにインクを供給する点で引用発明１と本願発明のインクカートリッジは共通である。
　よって、引用発明１の「インクカートリッジ」は、着脱可能に搭載され、記録ヘッドにインクを供給する限度で本願発明の「インクカートリッジ」に相当する。
　引用発明１の「記録ヘッドに密着し、エアー吸引して記録ヘッド内のインクを吸引する吸引手段」は記録ヘッドの噴射側から吸引していることが明らかである。ここで、本願発明において吸引される記録ヘッド内の充填液はインクを包含していることは明らかなので、引用発明１の「記録ヘッドに密着し、エアー吸引して記録ヘッド内のインクを吸引する吸引手段」は本願発明の「記録ヘッドの噴射側から記録ヘッド内の充填液を吸引する吸引手段」に相当する。
　さらに、引用発明１の「インクカートリッジが装着されているかどうかを検出する装着検出手段」は、本願発明の「カートリッジの装着状態を検知するセンサ」に相当する。
　
　してみれば両者は、
　
「記録媒体にインクを噴射して記録を行う記録ヘッドと、着脱可能に搭載され、前記記録ヘッドにインクを供給する交換可能なインクカートリッジと、前記記録ヘッドの噴射側より該記録ヘッド内の充填液を吸引する吸引手段と、前記カートリッジの装着状態を検知するセンサとを備えたインクジェット記録装置。」
　
である点で一致し、以下の点で相違する。
　
［相違点ａ］
　本願発明では、装置ケーシング内で記録媒体に沿って移動するキャリッジを有し、キャリッジの位置を判断する位置判断手段を有しているのに対し、引用発明１ではキャリッジ及びキャリッジの位置を判断する手段について明示的特定はない点。
　
［相違点ｂ］
　本願発明では、インクカートリッジがキャリッジに対して着脱可能であり、インクカートリッジを複数個備えているのに対し、引用発明１ではそのような特定を有していない点。
　
［相違点ｃ］
　本願発明では、カートリッジを前記キャリッジに対して着脱する開口部及び前記吸引手段を覆うカバー部を有する装置ケーシングを備え、キャリッジが装置ケーシングの開口部に対応する前記カートリッジの交換位置と、前記カバー部に覆われ前記吸引手段と対向するパージ位置と、前記交換位置と異なる待機位置とに移動可能であるのに対し、引用発明１では、そのような特定は有していない点。
　
［相違点ｄ］
　本願発明では、指示手段を有し、前記指示手段による指示がなされた場合に、前記位置判断手段によって前記キャリッジが前記待機位置あると判断されるときには、前記キャリッジを前記カートリッジ交換位置に移動させる第１の制御手段と、
前記位置判断手段によって前記キャリッジが前記待機位置にないと判断され、且つ、前記センサによって前記カートリッジが装着されていないと判断されたときには、前記キャリッジを前記吸引手段と対向するパージ位置に移動させて、前記吸引手段による前記記録ヘッドの吸引動作を実行し、その後前記キャリッジを前記カートリッジの交換位置に移動させる第２の制御手段と、
　前記指示手段による指示がなされた場合に、前記位置判断手段によって前記キャリッジが前記待機位置にないと判断され、且つ、前記センサによって前記カートリッジが装着されていると判断されたときには、前記キャリッジを前記吸引手段と対向するパージ位置に移動させて、前記吸引手段による前記記録ヘッドの吸引動作を実行する第３の制御手段とを有しているのに対し、引用発明１ではそのような特定は有していない点。
　
３．判断
　
［相違点ａ］について
　引用発明１のインクジェット記録装置は、装置ケーシング内で記録媒体に沿って移動するキャリッジを有するかは明示されておらず、いわゆるシリアル型を採用しているかも定かではない。
　しかし、引用発明１がシリアル型のインクジェット記録装置であるか不明であったとしても、キャリッジにインクカートリッジを着脱可能とすることは周知慣用技術であり、引用発明１と同様にカートリッジ交換の際、記録ヘッドからインクの吸引を行うインクジェット記録装置として記録媒体に沿って移動するキャリッジを有するものが引用例２のように一般に知られていることからして、引用発明１にて記録媒体に沿って移動するキャリッジを有するように構成することは当業者が適宜なすべき設計事項の範疇である。
　また、引用例２の記載事項（２）（ウ）で「キャリッジ４１が記録領域外のホームポジション（ＨＰ）に導かれてきた時点で、ＨＰセンサ４８によりその移動が検知」と記載されており、これはキャリッジの位置を判断する位置判断手段に他ならないことから、キャリッジを設けるにあたりキャリッジの位置を判断する位置判断手段をも付随して設けることも設計事項の範疇といえる。
　
［相違点ｂ］について
　インクカートリッジをキャリッジに対し着脱可能とする点は、前記「［相違点ａ］について」を検討したごとくキャリッジを採用すれば当然に当業者が採用する設計事項に過ぎない（現に引用例２では、記載事項（２）（エ）に記載のごとくそのように構成されている。）。
　また、引用発明１ではフルカラーの記録モードを備えていることは特定されているが、引用発明１ではインクカートリッジを複数有する点について具体的には特定はされていない。
　しかし、一般にフルカラーの記録を行うインクジェット記録装置において、複数の各色に対応した複数のインクカートリッジを備え、複数の各インクカートリッジが着脱可能とする点は周知慣用技術であり、このように構成することも当業者適宜なすべき設計事項の範疇である。
　
［相違点ｃ］について
　引用例１の記載事項（１）（エ）によれば、インクカートリッジ引き抜きと挿入、吸引動作は、ホームポジションで行われていることが理解される。
　すると引用発明１では同じ位置でインクカートリッジの着脱と吸引動作を行っていると解釈できるが、キャリッジに搭載されたインクカートリッジを着脱するのであればインクカートリッジの着脱と吸引動作を同じ位置で行わなくてはならないという技術上の理由は見いだせない。
　このことは、引用発明１と同様にインクカートリッジの交換時に記録ヘッドからインクの吸引を行うインクジェット記録装置が記載された引用例２において、引用例２の記載事項（２）（カ）に記載のごとくインクタンク部２が引外されるキャリッジの位置と残留インクを吸引する回復手段３０のキャリッジの位置を異ならせてもよいことが記載されていることからも裏付けられる。
　さらに、装置ケーシングの開口部に対応するカートリッジの交換位置と待機位置を異なる位置とすることは引用例３に記載されている。
　また、引用例４の記載事項（４）（イ）に記載のごとく吸引用キャップ４１と保護用（放置保存用）キャップ４２が別に設けられており、保護用（放置保存用）キャップが密着される位置は待機位置に他ならないことからして、引用例４では吸引手段と対向する位置と待機位置を異ならせていることが理解される。
　してみれば、キャリッジが装置ケーシングの開口部に対応する前記カートリッジの交換位置と、吸引手段と対向するパージ位置と、前記交換位置と異なる待機位置とに移動可能とすることは当業者が適宜なすべき設計事項の範疇である。
　さらに、引用例３の図面第５，６図から明らかなように、インクタンク交換口以外はインク吸引動作を行う位置は外装に覆われていることから、カートリッジを前記キャリッジに対して着脱する開口部及び前記吸引手段を覆うカバー部を設けることも設計事項といえる。
　
［相違点ｄ］について
　本願発明の第１の制御手段でキャリッジが待機位置にあると判断されたときにカートリッジ交換位置に移動させる際の「指示手段」による最初の指示は通常カートリッジの交換を前提としている。
　一方、引用発明１において、インクがないと判断されると記録ヘッドをホームポジションに移動し、インクカートリッジが引き抜かれることを待つ点が特定されている。
　ここで、ホームポジションへ移動する前に待機位置にあるのか定かでなく、ホームポジションでインクカートリッジが交換される意味では、ホームポジションを交換位置とみることもできるが、ホームポジションでインクの吸引動作も行われるのでこの点では本願発明とは異なっている。
　しかし、待機位置にあるキャリッジを交換位置に移動させることは、キャリッジにカートリッジが搭載されたインクジェット記録装置において通常採用される構成といえ、この点は引用例２の記載事項（２）（カ）や引用例３の記載事項（３）（ア）からも明らかである。
　また、引用発明１では交換に際しインクがないとの判断により交換のための移動が開始されることが特定されている。
　一般に、インクジェット記録装置の自動的判断によらず使用者が何らかの理由で自主的に交換のための指示を行うことは、インクがかすれてきたり、インク残量が少ないことの表示がでた場合などに、インクジェット記録装置において通常に行われている。
　そして、インクカートリッジの交換という使用者が関与せざる得ない作業を前提とすれば、装置が自動的に行っていた判断によるキャリッジの交換位置への移動を、使用者の手動の操作による指示で開始するように構成することは、当業者にとって容易であり、そのための指示手段を設けることも設計事項の範疇である。
　
　また、本願発明の第２の制御手段によればインクカートリッジが取り外された後、交換位置からパージ位置にキャリッジが移動され吸引動作を行い、その後再び交換位置に戻り、第３の制御手段によればインクカートリッジが装着された後、再びパージ位置にキャリッジが移動され吸引動作を行っている。
　これに対し、引用発明１では、インクカートリッジが挿入されているか判断し、挿入されていれば引き抜かれるまで待ち引き抜かれると、装着検出手段よりＣＰＵに信号が入り、それを受けて吸引動作を行い、吸引動作を停止したあとインクカートリッジが挿入されると、装着検出手段よりＣＰＵに信号が入り吸引動作を行っており、インクカートリッジが取り外された際に吸引動作を行う点で共通である。
　この時、引用発明１ではキャリッジが待機位置、交換位置及びパージ位置の間を移動するものではないが、［相違点ａ］［相違点ｃ］について検討したごとく、キャリッジを備え、待機位置、交換位置及びパージ位置を独立して有することを前提とすれば待機、交換、吸引動作を行うためにそれぞれの位置にキャリッジを移動せしめることは当然に行うべき事項であり、この点に技術的意義はない。
　
　さらに、本願発明の第２の制御手段によればインクカートリッジが引き抜かれたことを前提に、二度目の指示手段による指示がされてから、カートリッジが装着されていないと判断してパージ位置に移動させ吸引動作を行い、同様に第３の制御手段によれば、カートリッジが装着されたことを前提に、三度目の指示手段による指示がなされてから、カートリッジが装着されていると判断してパージ位置に移動させて吸引動作を行っている。
　ここで、二度目の指示手段による指示はインクカートリッジが引き抜かれたことの確認として、三度目の指示手段による指示はインクカートリッジが装着されたことの確認としてインクジェット記録装置側に使用者が指示していると見ることができるが、本願発明においてカートリッジの装着状態を検知するセンサを備え、しかもその判断によってカートリッジの有無が確認されてからパージ位置への移動が行われることを考慮すれば、特段に二度目、三度目の指示手段による指示を行うことなく、インクカートリッジの装着状態の検知のみによりパージ位置への移動を行えば足りることは明らかである。
　よって、使用者がわざわざ二度目、三度目の指示手段による指示を行うこと自体は使用者の自己確認程度の意味しかもたず特にこれをインクジェット記録装置側に知らせる必要もなく、技術的意義をもつものとは認められない。
（これに対し、請求人は本件補正と同日付け提出の意見書中で主張を行ってはいるが、これが失当であることは「第４　本願の明細書及び図面の記載についての当審の判断」で述べたとおりである。）
　すると、同じ指示手段で二度目、三度目の指示を行うことに技術上の意味はなくせいぜい設計事項の範疇である。
　
　また、本願発明では二度目、三度目の指示は一度目の指示と同様に同じ指示手段で行われており、これは異なる指示内容を同一の指示手段で兼用して指示しているといえる。
　しかし、同一の指示手段による指示を機器の状態に応じてその指示の内容を異ならせることは、例えば待機中の機械の操作ボタンを最初に押した場合所定の動作をし、その動作中に同じ操作ボタンを押すと別動作や停止するなどのように、広く一般に行われる周知慣用技術といえる。
　これを、引用発明１で［相違点ａ］と［相違点ｃ］に係る設計事項を前提として考えるならば、インクジェット記録装置の状態はキャリッジの位置とカートリッジの有無で決定されていることになるので、その状態に応じて同じ指示手段による指示で第１乃至第３の制御手段で特定されるような異なる動作を行わせることも当業者にとって容易な事項である。
　　
　してみれば［相違点ｄ］に係る本願発明の構成に想到することは当業者にとって容易といえる。
　
　さらに、本願発明の効果も引用発明１及び引用例２乃至引用例４に基づき容易に想到できるものに過ぎない。
　
　したがって、本願発明は引用発明１及び引用例２乃至引用例４に記載された発明に基づき容易に発明できたものであるから、特許法第２９条第２項の規定により特許を受けることができない。
　
第６　むすび
　
　本件の明細書及び図面の記載は特許法第３６条第４項及び第６項第２号に規定する要件を満たしていないし、本願発明は特許法第２９条第２項の規定により特許を受けることできない。
　したがって、本願のその余の請求項に係る発明について検討するまでもなく、本願は拒絶を免れない。
　
　よって結論のとおり審決する。